(57)【要約】【課題】  棚板を延長することが可能な折り畳み式物干し具を提供すること。【解決手段】  折り畳み式物干し具１は、互いに対向して配置される第１及び第２の脚枠１０、２０と、第１及び第２の脚枠１０、２０を互いに接近離間自在に連結するＸ状リンク３０Ａ、３０Ｂと、第１の脚枠１０に回動可能に支持される第１の棚板４０と、第２の脚枠２０に回動可能に支持され、第１の棚板４０に第１の折畳軸Ｆ１を介して折り畳み可能に連結される第２の棚板５０と、第２の棚板５０に第２の折畳軸Ｆ２を介して折り畳み可能に連結される第３の棚板６０とを備える。【選択図】  図１
0003211627.tif 000002
【実用新案登録請求の範囲】
【請求項１】
互いに対向して配置される第１及び第２の脚枠と、
前記第１及び第２の脚枠を互いに接近離間自在に連結するＸ状リンクと、
前記第１の脚枠に回動可能に支持される第１の棚板と、
前記第２の脚枠に回動可能に支持され、前記第１の棚板に第１の折畳軸を介して折り畳み可能に連結される第２の棚板と、
前記第２の棚板に第２の折畳軸を介して折り畳み可能に連結される第３の棚板とを備える、折り畳み式物干し具。
【請求項２】
請求項１において、
前記Ｘ状リンクは、
一端側が前記第１の脚枠に回動可能に連結され、他端側が前記第２の脚枠に回動可能かつスライド可能に連結される第１リンク部材と、
一端側が前記第２の脚枠に回動可能に連結され、他端側が前記第１の脚枠に回動可能かつスライド可能に連結される第２リンク部材とを含む、折り畳み式物干し具。
【請求項３】
請求項１又は２において、
前記第１の棚板に第３の折畳軸を介して折り畳み可能に連結される第４の棚板を更に備える、折り畳み式物干し具。
【考案の詳細な説明】
【技術分野】
【０００１】
本考案は、折り畳み式物干し具に関する。
【背景技術】
【０００２】
特許文献１には、一対の脚枠で支持される上方及び下方の棚板をそれぞれ折り畳むことで、衣料品を支持するための展開した形態から、保管のための畳まれた形態へと可動する展開式衣服フレームが開示されている。
【先行技術文献】
【特許文献】
【０００３】
【特許文献１】特許第５３６７１０３号公報
【考案の概要】
【考案が解決しようとする課題】
【０００４】
特許文献１に記載の展開式衣服フレームでは、展開した形態において棚板を延長することはできず利便性に欠けていた。
【０００５】
本考案は、以上のような課題に鑑みてなされたものであり、その目的とするところは、棚板を延長することが可能な折り畳み式物干し具を提供することにある。
【課題を解決するための手段】
【０００６】
（１）本考案に係る折り畳み式物干し具は、
互いに対向して配置される第１及び第２の脚枠と、
前記第１及び第２の脚枠を互いに接近離間自在に連結するＸ状リンクと、
前記第１の脚枠に回動可能に支持される第１の棚板と、
前記第２の脚枠に回動可能に支持され、前記第１の棚板に第１の折畳軸を介して折り畳み可能に連結される第２の棚板と、
前記第２の棚板に第２の折畳軸を介して折り畳み可能に連結される第３の棚板とを備えることを特徴とする。
【０００７】
本考案によれば、第１及び第２の脚枠を互いに離間させつつ第１及び第２の棚板を第１の折畳軸を中心として回動させて展開した形態において、第３の棚板を第２の折畳軸を中心として回動させて展開することで棚板を延長することができる。また、第３の棚板を第２の折畳軸を中心として折り畳み、第１及び第２の脚枠を互いに接近させつつ第１及び第２の棚板を第１の折畳軸を中心として折り畳むことで、収納時に物干し具全体をコンパクトに畳むことができる。
【０００８】
（２）本考案に係る折り畳み式物干し具では、
前記Ｘ状リンクを、
一端側が前記第１の脚枠に回動可能に連結され、他端側が前記第２の脚枠に回動可能かつスライド可能に連結される第１リンク部材と、
一端側が前記第２の脚枠に回動可能に連結され、他端側が前記第１の脚枠に回動可能かつスライド可能に連結される第２リンク部材とを含むように構成してもよい。
【０００９】
（３）本考案に係る折り畳み式物干し具では、
前記第１の棚板に第３の折畳軸を介して折り畳み可能に連結される第４の棚板を更に備えてもよい。
【００１０】
本考案によれば、第３の棚板を第２の折畳軸を中心として回動させて展開することで棚板を延長することができ、また、第４の棚板を第３の折畳軸を中心として回動させて展開することで棚板を更に延長することができ、様々な形態で棚板を延長することができる。
【図面の簡単な説明】
【００１１】
【図１】第１の実施の形態に係る折り畳み式物干し具の外観斜視図（使用時、第３の棚部展開時）。
【図２】第１の実施の形態に係る折り畳み式物干し具の側面図（使用時、第３の棚部展開時）。
【図３】第１の実施の形態に係る折り畳み式物干し具の側面図（使用時、第３の棚部折り畳み時）。
【図４】第１の実施の形態に係る折り畳み式物干し具の外観斜視図（収納時）。
【図５】第１の実施の形態に係る折り畳み式物干し具の側面図（収納時）。
【図６】第２の実施の形態に係る折り畳み式物干し具の側面図（使用時、第３及び第４の棚部展開時）。
【考案を実施するための形態】
【００１２】
以下、本考案の実施の形態について図面を参照しながら詳細に説明する。
【００１３】
（第１の実施の形態）
図１は、第１の実施の形態に係る折り畳み式物干し具の外観斜視図であり、図２は、図１の折り畳み式物干し具の側面図である。図１、図２は、折り畳み式物干し具の使用時（展開時）の一形態を示す図である。
【００１４】
本実施形態の折り畳み式物干し具１は、第１の脚枠１０と、第２の脚枠２０と、一対のＸ状リンク３０（３０Ａ、３０Ｂ）と、第１の棚板４０と、第２の棚板５０と、第３の棚板６０とを含む。
【００１５】
第１及び第２の脚枠１０、２０は、互いに水平方向に離間して対向配置される。第１の脚枠１０は、一対の支柱１２（１２Ａ、１２Ｂ）と、一対の支柱１２Ａ、１２Ｂを連結する上部連結部材１４及び下部連結部材１６とを含む。第２の脚枠２０は、一対の支柱２２（２２Ａ、２２Ｂ）と、一対の支柱２２Ａ、２２Ｂを連結する上部連結部材２４とを含む。支柱１２、２２、及び上部連結部材１４、２４は、それぞれ長手方向に伸縮可能に構成されている。図１、２は、支柱２２を上方向（垂直方向）に伸張させ、上部連結部材２４を左右方向（水平方向）に伸張させた状態を示している。
【００１６】
Ｘ状リンク３０は、第１及び第２の脚枠１０、２０を互いに接近離間自在に連結する。Ｘ状リンク３０Ａは、第１の脚枠１０の支柱１２Ａと第２の脚枠２０の支柱２２Ａを連結し、Ｘ状リンク３０Ｂは、第１の脚枠１０の支柱１２Ｂと第２の脚枠２０の支柱２２Ｂを連結する。Ｘ状リンク３０は、第１リンク部材３２（３２Ａ、３２Ｂ）と、第２リンク部材３４（３４Ａ、３４Ｂ）とを含む。第１リンク部材３２は、上端部（一端側の一例）が第１の脚枠１０の支柱１２に対して回動可能に連結され、下端部（他端側の一例）が第２の脚枠２０の支柱２２に対して回動可能かつ支柱２２の長手方向にスライド可能に連結される。第２リンク部材３４は、上端部（一端側の一例）が第２の脚枠２０の支柱２２に対して回動可能に連結され、下端部（他端側の一例）が第１の脚枠１０の支柱１２に対して回動可能かつ支柱１２の長手方向にスライド可能に連結される。
【００１７】
第１の棚板４０は、１対の枠杆４２（４２Ａ、４２Ｂ）と、１対の枠杆４２を連結する複数の桟杆４４で形成され、同様に、第２の棚板５０は、１対の枠杆５２（５２Ａ、５２
Ｂ）と、１対の枠杆５２を連結する複数の桟杆５４で形成され、第３の棚板６０は、１対の枠杆６２（６２Ａ、６２Ｂ）と、１対の枠杆６２を連結する複数の桟杆６４で形成される。
【００１８】
第１の棚板４０は、枠杆４２の外側端部が第１の脚枠１０の支柱１２に支軸Ｐ１（図２参照）で回動可能に支持され、第２の棚板５０は、枠杆５２の外側端部が第２の脚枠２０の支柱２２に支軸Ｐ２（図２参照）で回動可能に支持される。
【００１９】
第１の棚板４０は、枠杆４２の内側端部が第１の折畳部７０（７０Ａ、７０Ｂ）に連結され、第２の棚板５０は、枠杆５２の内側端部が第１の折畳部７０に連結される。すなわち、第１の棚板４０と第２の棚板５０は、第１の折畳部７０（第１の折畳軸Ｆ１）を介して折り畳み可能（第１の折畳軸Ｆ１を中心として回動可能）に連結される。図１、２に示すように、折り畳み式物干し具１の使用時（展開時）には、第１の棚板４０の上面部と第２の棚板５０の上面部は、略水平方向に沿った略同一平面を形成する。
【００２０】
第２の棚板５０は、枠杆５２の外側端部が第２の折畳部７２（７２Ａ、７２Ｂ）に連結され、第３の棚板６０は、枠杆６２の内側端部が第２の折畳部７２に連結される。すなわち、第３の棚板６０は、第２の棚板５０に第２の折畳部７２（第２の折畳軸Ｆ２）を介して折り畳み可能（第２の折畳軸Ｆ２を中心として回動可能）に連結される。図１、２に示すように、折り畳み式物干し具１の使用時であって、第３の棚板６０の展開時には、第１及び第２の棚板４０、５０の上面部と第３の棚板６０の上面部は、略水平方向に沿った略同一平面を形成する。
【００２１】
図１、２に示す状態から、第３の棚板６０を、第２の折畳軸Ｆ２を中心として図２中反時計周りに回動させて折り畳むと、図３に示す状態となる。また、図３に示す状態から、第３の棚板６０を、第２の折畳軸Ｆ２を中心として図３中時計周りに回動させて展開すると、図１、２に示す状態となり、棚板を延長することができる。
【００２２】
次に、折り畳み式物干し具１の収納方法について説明する。図４は、収納時（折り畳み時）の折り畳み式物干し具１の外観斜視図であり、図５は、収納時の折り畳み式物干し具１の側面図である。
【００２３】
折り畳み式物干し具１の収納時には、まず、図１、２に示す状態から、伸長状態となっている支柱１２、２２及び上部連結部材１４、２４をそれぞれ収縮させ、第３の棚板６０を第２の折畳軸Ｆ２を中心として図２中反時計周りに回動させて折り畳む。
【００２４】
次に、第１の脚枠１０と第２の脚枠２０を接近させて折り畳み式物干し具１全体を折り畳む。第１の脚枠１０と第２の脚枠２０を水平方向に互いに接近させると、第１の棚板４０は、支軸Ｐ１を中心に図３中反時計周りに回動するとともに第１の折畳軸Ｆ１を中心に図３中反時計周りに回動し、また、第２の棚板５０は、支軸Ｐ２を中心に図３中時計周りに回動するとともに第１の折畳軸Ｆ１を中心に図３中時計周りに回動する。同時に、第１リンク部材３２は、上端部を中心に図３中時計周りに回動しつつ下端部が支柱２２に沿って下方にスライドし、また、第２リンク部材３４は、上端部を中心に図３中反時計周りに回動しつつ下端部が支柱１２に沿って下方にスライドする。これらの動作によって、第１の棚板４０と第２の棚板５０は第１の折畳軸Ｆ１で二つ折りにされ、折り畳み式物干し具１は、図４、５に示す状態となる。
【００２５】
このように本実施形態の折り畳み式物干し具１では、第３の棚板６０を第２の折畳軸Ｆ２を中心として折り畳み、第１及び第２の脚枠１０、２０を互いに接近させつつ第１及び第２の棚板４０、５０を第１の折畳軸Ｆ１を中心として折り畳むことで、収納時に全体を
コンパクトに畳むことができる。また、使用時には、第３の棚板６０を第２の折畳軸Ｆ２を中心として回動させて展開することで、棚板を水平方向に延長（棚板上面の総面積を拡大）することができる。
【００２６】
（第２の実施の形態）
図６は、第２の実施の形態に係る折り畳み式物干し具の側面図である。図６は、折り畳み式物干し具の使用時（展開時）の一形態を示す図である。図６において、図１〜５の構成と同様の構成には同符号を付してその説明を省略する。
【００２７】
図６に示す折り畳み式物干し具１は、第４の棚板８０と第３の折畳部７４を更に含む。第４の棚板８０は、第３の棚板６０と同様に、１対の枠杆８２と、１対の枠杆８２を連結する複数の桟杆（図示省略）で形成される。
【００２８】
第１の棚板４０は、枠杆４２の外側端部が第３の折畳部７４に連結され、第４の棚板８０は、枠杆８２の内側端部が第３の折畳部７４に連結される。すなわち、第４の棚板８０は、第１の棚板４０に第３の折畳部７４（第３の折畳軸Ｆ３）を介して折り畳み可能（第３の折畳軸Ｆ３を中心として回動可能）に連結される。図６に示すように、折り畳み式物干し具１の使用時であって、第４の棚板８０の展開時には、第１及び第２の棚板４０、５０の上面部と第４の棚板８０の上面部は、略水平方向に沿った略同一平面を形成する。
【００２９】
図６に示す状態から第４の棚板８０を折り畳む場合には、第４の棚板８０を第３の折畳軸Ｆ３を中心として図６中時計周りに回動させ、また、第４の棚板８０を折り畳んだ状態から展開する場合には、第４の棚板８０を第３の折畳軸Ｆ３を中心として図６中反時計周りに回動させる。第４の棚板８０を展開することで棚板を更に延長することができる。なお、図６に示す折り畳み式物干し具１の収納方法については、第１の実施の形態に係る折り畳み式物干し具と同様である。すなわち、収納時には、まず第３の棚板６０と第４の棚板８０を折り畳み、次に、第１の脚枠１０と第２の脚枠２０を水平方向に互いに接近させつつ第１及び第２の棚板４０、５０を第１の折畳軸Ｆ１を中心として折り畳めばよい。
【００３０】
図６に示す折り畳み式物干し具１では、使用時において、第３の棚板６０に加えて第４の棚板８０を回動させて展開することで、棚板を水平方向に更に延長することができる。また、使用時において、第３及び第４の棚板６０、８０の一方のみを展開したり、第３及び第４の棚板６０、８０の両方を展開するなど、様々な形態で棚板を延長することができ、使用時の利便性を向上することができる。
【００３１】
本考案は、実施の形態で説明した構成と実質的に同一の構成（機能、方法及び結果が同一の構成、あるいは目的及び効果が同一の構成）を含む。また、本考案は、実施の形態で説明した構成の本質的でない部分を置き換えた構成を含む。また、本考案は、実施の形態で説明した構成と同一の作用効果を奏する構成又は同一の目的を達成することができる構成を含む。また、本考案は、実施の形態で説明した構成に公知技術を付加した構成を含む。
【符号の説明】
【００３２】
１  折り畳み式物干し具、１０  第１の脚枠、１２  支柱、１４  上部連結部材、１６  下部連結部材、２０  第２の脚枠、２２  支柱、２４  上部連結部材、３０  Ｘ状リンク、３２  第１リンク部材、３４  第２リンク部材、４０  第１の棚板、４２  枠杆、４４
桟杆、５０  第２の棚板、５２  枠杆、５４  桟杆、６０  第３の棚板、６２  枠杆、６４  桟杆、７０  第１の折畳部（第１の折畳軸）、７２  第２の折畳部（第２の折畳軸）、７４  第３の折畳部（第３の折畳軸）、８０  第１の棚板、８２  枠杆
【図１】
0003211627.tif 000003
【図２】
0003211627.tif 000004
【図３】
0003211627.tif 000005
【図４】
0003211627.tif 000006
【図５】
0003211627.tif 000007
【図６】
0003211627.tif 000008